【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
支持面に取付け可能な均圧光起電（ＰＶ）アセンブリのアレイであって、前記各ＰＶアセンブリは以下：
上面と下面とを備えるベースと、
内面と、外面と、周部エッジとを備えるＰＶモジュールと、
前記ＰＶモジュールを、前記ベースの前記上面上の位置に固定する支持アセンブリと、
前記ベースに貫通形成された複数の通風孔と、
均圧化路とを有し、
前記均圧化路は、前記ＰＶモジュールの前記外面から、前記ＰＶモジュールを通過して、少なくとも１つの前記通風孔を通って、前記ベースの前記下面へと延出し、これにより、前記ＰＶアセンブリに作用する風揚力を低減するのを補助するべく、前記ＰＶモジュールの前記外面と前記ベースの前記下面との間に均圧状態が提供される、アレイ。
【請求項２】
請求項１のアレイであって、前記ＰＶアセンブリのうちの互いに近接するアセンブリは、互いに係合して、前記ＰＶアセンブリの１つに作用する風揚力は、隣接するＰＶアセンブリへと伝達されて、前記風揚力を相殺することを補助する、アレイ。
【請求項３】
請求項１のアレイであって、前記ベースは、導電体と、更に、これら導電体間の電気接地コネクタとを有する、アレイ。
【請求項４】
請求項１のアレイであって、前記通風孔は、総断面積Ｖを有し、前記ＰＶモジュールは総表面積Ｐを有し、Ｐに対するＶの百分率は、約０．０２％〜５０％であり、これによって、前記ＰＶアセンブリを前記支持面に取付ける必要を回避しながら、約５〜２５ｋｇ／ｍ２の重量を有するＰＶアセンブリを使用する能力を補助する、アレイ。
【請求項５】
請求項１のアレイであって、前記通風孔は、総断面積Ｖを有し、前記ＰＶモジュールは総表面積Ｐを有し、Ｐに対するＶの百分率は、少なくとも約０．０２％であり、これによって、前記ＰＶアセンブリを前記支持面に取付ける必要を回避しながら、約５〜２５ｋｇ／ｍ２の重量を有するＰＶアセンブリを使用する能力を補助する、アレイ。
【請求項６】
請求項１のアレイであって、前記支持アセンブリは、マルチ位置支持アセンブリであり、前記ＰＶモジュールを前記ベースに対して、このベースに対して輸送角度と傾斜使用角度とで固定するための第１および第２部分を有し、前記輸送角度は、ほぼ０度であり、前記傾斜使用角度は、前記ＰＶモジュールが前記ベースから離間して延出する状態での第１鋭角である、アレイ。
【請求項７】
請求項６のアレイであって、更に以下：
デフレクタと、
マルチ位置デフレクタ支持体とを有し、
前記マルチ位置デフレクタ支持体は、前記デフレクタを前記ベースに対して、このベースに対するデフレクタ輸送角度とデフレクタ傾斜使用角度とで固定し、前記デフレクタ輸送角度は、ほぼ０度であり、前記デフレクタ傾斜使用角度は、前記デフレクタが前記ベースから離間して延伸する状態での第２鋭角である、アレイ。
【請求項８】
請求項１のアレイであって、前記ＰＶモジュールは、前記ＰＶモジュールが前記ベースから離間して延伸する状態で、前記ベースに対して第１角度で配向され、
更に、デフレクタ支持体によって、前記ベースに対して第２角度で配向されたデフレクタを有し、
前記モジュールとデフレクタとは、それらの間に空隙を形成する互いに対向する部分を有し、
少なくとも１つの前記通風孔は、前記空隙とほぼ垂直に一致し、
前記対向するモジュール及びデフレクタ部分は、前記ベースから実質的に同じ距離であり、
前記空隙は、約２〜８ｃｍの幅である、アレイ。
【請求項９】
請求項８のアレイであって、前記ＰＶモジュールの前記外面は約Ｐに等しい面積を有し、前記空隙にほぼ垂直に一致する前記通風孔のそれぞれの総断面積は約ｗであり、Ｐに対するｗの百分率は、約０．１％〜５０％である、アレイ。
【請求項１０】
請求項１のアレイであって、隣接するＰＶモジュールの前記周部エッジは、約ｄの平均距離、分離され、
各ＰＶモジュールの前記内面は、前記ベースの前記上面から、約ｈの平均距離で分離され、そして、ｄ／ｈの比率は約０．１〜６である、アレイ。
【請求項１１】
ＰＶシステムであって、支持面を有し、
複数の均圧光起電（ＰＶ）アセンブリのアレイは前記支持面に取付けられ、前記各ＰＶアセンブリは以下：
上面と下面とを備えるベースと、
内面と、外面と、周部エッジとを備えるＰＶモジュールと、
前記ＰＶモジュールを、前記ベースの前記上面上の位置に固定する支持アセンブリと、
前記ベースに貫通形成された複数の通風孔と、
均圧化路とを有し、
前記均圧化路は、前記ＰＶモジュールの前記外面から、前記ＰＶモジュールを通過して、少なくとも１つの前記通風孔を通って、前記ベースの前記下面へと延出し、これにより、前記ＰＶアセンブリに作用する風揚力を低減するのを補助するべく、前記ＰＶモジュールの前記外面と前記ベースの前記下面との間に均圧状態が提供され、そして
隣接するＰＶモジュールの前記周部エッジは、約ｄの平均距離で、互いに分離されている、システム。
【請求項１２】
請求項１１のシステムであって、前記ＰＶアセンブリは、前記支持面に取付けられていない、システム。
【請求項１３】
請求項１１のシステムであって、前記ＰＶアセンブリは、前記支持面を貫通しない固定部材を使用して、前記支持面に固定されている、システム。
【請求項１４】
請求項１１のシステムであって、前記支持面は、交互する凸部と凹部とを備える面を含み、
更に、前記ＰＶアセンブリのアレイの下方で前記凹部内に充填部材を有する、システム。
【請求項１５】
支持面に取付け可能な複数の均圧光起電（ＰＶ）アセンブリのアレイ上に作用する風揚力を低減する方法であって、前記各ＰＶアセンブリが、上面と下面とを備えるベースと、内面と外面と周部エッジとを備えるＰＶモジュールと、このＰＶモジュールを、前記ベースの前記上面上の位置に固定する支持アセンブリとを有するものにおいて、前記方法は以下：
前記ベースを貫通する複数の通風孔を形成する工程と、
前記ＰＶモジュールの外面から、前記ＰＶモジュールを通過して、少なくとも１つの通風孔を通り、前記ベースの下面へと延出する均圧化路を形成し、これによって、前記ＰＶアセンブリに作用する風揚力を低減するのを補助するべく、前記ＰＶモジュールの前記外面と前記ベースの前記下面との間に均圧状態が提供される工程とを包含する、方法。
【請求項１６】
請求項１５の方法であって、更に、前記ＰＶアセンブリのうちの近接するアセンブリを、互いに係合して、前記ＰＶアセンブリの１つに作用する風揚力が、隣接するＰＶアセンブリへと伝達されて、前記風揚力を相殺することを補助するようにする工程を有する、方法。
【請求項１７】
請求項１５の方法であって、更に、導電体を有するベースを選択する工程と、前記ＰＶアセンブリのうちの隣接するものの前記導電体を電気的に接地させる工程とを有する、方法。
【請求項１８】
請求項１５の方法であって、前記通風孔形成工程は、１つの前記ＰＶアセンブリの前記通風孔が総断面積Ｖを有し、前記ＰＶモジュールが総表面積Ｐを有し、Ｐに対するＶの百分率が、約０．０２％〜５０％であり、これによって、前記ＰＶアセンブリを前記支持面に取付ける必要を回避しながら、約５〜２５ｋｇ／ｍ２の重量を有するＰＶアセンブリを使用する能力を補助するように行われる、方法。
【請求項１９】
請求項１５の方法であって、前記通風孔形成工程は、１つの前記ＰＶアセンブリの前記通風孔が総断面積Ｖを有し、前記ＰＶモジュールが総表面積Ｐを有し、Ｐに対するＶの百分率が、少なくとも約０．０２％であり、これによって、前記ＰＶアセンブリを前記支持面に取付ける必要を回避しながら、約５〜２５ｋｇ／ｍ２の重量を有するＰＶアセンブリを使用する能力を補助するように行われる、方法。
【請求項２０】
請求項１５の方法であって、更に、前記ＰＶモジュールが前記ベースから離間して、第１モジュール部から第２モジュール部へと延出するように前記ＰＶモジュールを前記ベースに対して第１角度で配向する工程と、
第１及び第２デフレクタ部を有するデフレクタを、前記ベースに対して、前記デフレクタが、前記ベースから離間して、前記第１デフレクタ部から前記第２デフレクタ部へと延出するように取付ける工程と、
前記第２モジュール及び前記第２デフレクタ部間に空隙を形成する工程と、を有する、方法。
【請求項２１】
請求項２０の方法であって、前記空隙形成工程は、前記通風孔のうちの少なくとも一部が前記空隙とほぼ垂直に一致するように行われ、
前記通風孔形成工程及び空隙形成工程は、前記ＰＶモジュールの前記外面が約ｍに等しい総面積を有し、前記空隙にほぼ垂直に一致する前記通風孔の総断面積が約ｗであり、ｍに対するｗの百分率が、約０．１％〜５０％となるように行われる、方法。
【請求項２２】
請求項１５の方法であって、更に、前記ＰＶアセンブリのアレイを、交互の凸部と凹部とを備える前記支持面に取り付ける工程を有する、方法。
【請求項２３】
請求項２２の方法であって、更に、前記ＰＶアセンブリのアレイの周部の下方で前記凹部内に風デフレクタを配置する工程を有する、方法。
【請求項２４】
請求項２２の方法であって、更に、前記ＰＶアセンブリのアレイの下方の前記凹部を実質的に充填する工程を有する、方法。
【請求項２５】
支持面上で使用されるマルチ位置ＰＶアセンブリであって、以下：
上面と下面とを備えるベースと、
内面と、外面と、周部エッジとを備えるＰＶモジュールと、
前記ＰＶモジュールを前記ベースに対して、前記ベースに対する輸送角度と傾斜使用角度とで固定する第１及び第２部分を有するものであって、前記傾斜使用角度は、前記ＰＶモジュールが前記ベースから離間して延伸する状態で鋭角である、マルチ位置モジュール支持アセンブリと、
デフレクタと、
前記デフレクタを前記ベースに対して、前記ベースに対するデフレクタ輸送角度とデフレクタ傾斜角度とで固定する第１デフレクタ部と第２デフレクタ部とを有するものであって、前記デフレクタ傾斜使用角度は、前記ＰＶモジュールが前記ベースから離間して延伸する状態で鋭角である、マルチ位置デフレクタ支持体と、を有し、
前記ＰＶモジュールと前記デフレクタとは、前記各傾斜使用角度とデフレクタ傾斜使用角度とで固定される際に、対向してそれらの間に空隙を形成するエッジを有する、マルチ位置ＰＶアセンブリ。
【請求項２６】
支持面上で使用されるマルチ位置ＰＶアセンブリであって、以下：
上面と下面とを備えるベースと、
内面と、外面と、周部エッジとを備えるＰＶモジュールと、
デフレクタと、
前記ＰＶモジュールを前記ベースに対して、前記ベースに対する輸送角度と傾斜使用角度とでの固定であって、前記傾斜使用角度は、前記ＰＶモジュールが前記ベースから離間して延伸する状態で鋭角である、固定と、
前記デフレクタを前記ベースに対して、前記ベースに対するデフレクタ輸送角度とデフレクタ傾斜角度とでの固定であって、前記デフレクタ傾斜角度は、前記ＰＶモジュールが前記ベースから離間して延伸する状態で鋭角である、固定と、を行う複数の支持部を含むマルチ位置支持アセンブリと、を備え、
前記ＰＶモジュールと前記デフレクタとは、前記各傾斜使用角度とデフレクタ傾斜使用角度とで固定される際に、対向してそれらの間に空隙を形成するエッジを有する、マルチ位置ＰＶアセンブリ。
【請求項２７】
支持面に取付け可能な光起電（ＰＶ）アセンブリのアレイであって、前記各ＰＶアセンブリは、以下：
上面と下面とを備え、本体と、前記上面を形成し導電体と絶縁表面層とを含むカバーとを有する、ベースと、
支持アセンブリと、
内面と、外面と、周部エッジとを備え、前記内面が前記ベースの前記上面から離間した状態で、前記ベースの前記上面上の位置に前記支持アセンブリによって、前記ベースに固定されるＰＶモジュールと、を有する、アレイ。
【請求項２８】
安定化ＰＶシステムであって、
支持面と、
前記支持面に取り付けられ、対向する側に第１側及び第２側を有する光起電（ＰＶ）アセンブリのアレイと、を有し、
前記各ＰＶアセンブリは、
内面と、外面と、周部エッジとを備えるＰＶモジュールと、
前記ＰＶモジュールを前記支持面に支持する支持システムと、を有し、
前記ＰＶアセンブリのアレイは、連続する周囲アセンブリによって包囲され、
そして、前記ＰＶアセンブリのアレイは、前記アレイの上方、下方、又は前記アレイを通過するように延伸され、前記周囲アセンブリに沿った第１位置と少なくとも前記周囲アセンブリに沿った第２位置とを固定するクロスストラッピングによって、風揚力に対して安定化される、安定化ＰＶシステム。